(57)【要約】【課題】使い勝手の良い録画済み番組の一覧を表示できる放送受信システムを提供する。【解決手段】テレビジョン放送波からテレビジョン放送信号を受信するチューナ１１を備えるＨＤＤ内蔵テレビ１において、チューナ１１により受信されたテレビジョン放送信号に基づく番組をＨＤＤ１４に録画させる録画制御部１３と、ＨＤＤ１４に記録されている録画済み番組の録画日を示す日付欄に、所定の録画済みアイコンを表示させるためのアイコン情報を付加することによって、当該日付欄に、当該録画済みアイコンが表示された録画番組カレンダーを作成する機能をＣＰＵ２０１に実現させるカレンダー作成プログラム２０４ｃと、当該作成された録画番組カレンダーを、映像表示部１７ｂに表示させる機能をＣＰＵ２０１に実現させるカレンダー表示制御プログラム２０４ｄと、を備えることを特徴とする。【選択図】図１
2010212844.tif 000002
【特許請求の範囲】
【請求項１】
テレビジョン放送波からテレビジョン放送信号を受信する受信手段を備える放送受信システムにおいて、
前記受信手段により受信されたテレビジョン放送信号に基づく番組を番組記録手段に録画させる録画制御手段と、
前記番組記録手段に記録されている録画済み番組の録画日を示す日付欄に、所定の録画済みアイコンを表示させるためのアイコン情報を付加することによって、当該日付欄に、当該録画済みアイコンが表示された録画番組カレンダーを作成するカレンダー作成手段と、
前記カレンダー作成手段により作成された録画番組カレンダーを、表示手段に表示させるカレンダー表示制御手段と、
を備えることを特徴とする放送受信システム。
【請求項２】
請求項１に記載の放送受信システムにおいて、
前記カレンダー作成手段は、一の日に録画された録画済み番組が１つである場合、前記録画済みアイコンとして第１録画済みアイコンを表示させるためのアイコン情報を付加するとともに、一の日に録画された録画済み番組が複数である場合、前記録画済みアイコンとして第２録画済みアイコンを表示させるためのアイコン情報を付加するアイコン情報付加手段を備えることを特徴とする放送受信システム。
【請求項３】
請求項１又は２に記載の放送受信システムにおいて、
前記カレンダー作成手段は、一の日を示す日付欄に付加された録画済みアイコンを表示させるためのアイコン情報に、録画済み番組数を表示させるための情報を含む番組数情報を付加する番組数情報付加手段を備えることを特徴とする放送受信システム。
【請求項４】
請求項１〜３の何れか一項に記載の放送受信システムにおいて、
ユーザが、前記表示手段に表示された録画番組カレンダー中の一の日付欄、或いは、前記表示手段に表示された録画番組カレンダー中の一の日付欄に表示された録画済みアイコンを選択するための選択手段と、
前記録画済み番組のリストを作成するリスト作成手段と、
前記リスト作成手段により作成されたリストを、前記表示手段に表示させるリスト表示制御手段と、
を備え、
前記リスト作成手段は、前記選択手段により一の日付欄が選択された場合、或いは、前記選択手段により一の日付欄に表示された録画済みアイコンが選択された場合、当該一の日付欄が示す日に録画された録画済み番組のリストを作成することを特徴とする放送受信システム。
【請求項５】
請求項１〜４の何れか一項に記載の放送受信システムにおいて、
前記カレンダー作成手段は、過去及び現在を示す日付欄と、未来を示す日付欄と、を識別するための日付欄識別情報を、各日付欄に付加する日付欄識別情報付加手段を備えることを特徴とする放送受信システム。
【請求項６】
請求項１〜５の何れか一項に記載の放送受信システムにおいて、
前記カレンダー作成手段は、一の日に録画された録画済み番組の中にコピー可能回数及び／又はムーブ可能回数に制限のある番組がある場合、当該一の日を示す日付欄に、所定の回数制限情報を付加する回数制限情報付加手段を備えることを特徴とする放送受信システム。
【発明の詳細な説明】
【技術分野】
【０００１】
本発明は、放送受信システムに関する。
【背景技術】
【０００２】
従来、テレビジョン放送波からテレビジョン放送信号を受信する受信手段を備える放送受信システムとして、録画済み番組の一覧をリスト表示できるものが知られている。
このような放送受信システムにおいて表示されたリストは、一般的に、録画済み番組に関する情報（番組名や録画日時など）が列記されたものに過ぎないため、録画済み番組の確認等がやり難く、使い勝手が悪いという問題がある。
【０００３】
そこで、例えば、日付欄に録画済み番組の番組名が表示されたカレンダーを表示できる録画再生装置（例えば、特許文献１参照）、日付欄に録画済み番組や録画予約番組の番組名が表示されたカレンダーを表示できる録画再生装置（例えば、特許文献２及び３参照）等が提案されている。
【先行技術文献】
【特許文献】
【０００４】
【特許文献１】特開２００７−１２１０２号公報
【特許文献２】特開２００７−３００４３６号公報
【特許文献３】特開２００７−３００４３９号公報
【発明の概要】
【発明が解決しようとする課題】
【０００５】
しかしながら、表示されるカレンダーの日付欄は大きさに制限があるため、番組名を表示すると、特に、同日に録画された録画済み番組が複数ある場合は、カレンダーが見難くなり、使い勝手が悪い。
【０００６】
本発明の課題は、使い勝手の良い録画済み番組の一覧を表示できる放送受信システムを提供することにある。
【課題を解決するための手段】
【０００７】
上記課題を解決するために、請求項１に記載の発明は、
テレビジョン放送波からテレビジョン放送信号を受信する受信手段を備える放送受信システムにおいて、
前記受信手段により受信されたテレビジョン放送信号に基づく番組を番組記録手段に録画させる録画制御手段と、
前記番組記録手段に記録されている録画済み番組の録画日を示す日付欄に、所定の録画済みアイコンを表示させるためのアイコン情報を付加することによって、当該日付欄に、当該録画済みアイコンが表示された録画番組カレンダーを作成するカレンダー作成手段と、
前記カレンダー作成手段により作成された録画番組カレンダーを、表示手段に表示させるカレンダー表示制御手段と、
を備えることを特徴とする。
【０００８】
また、請求項２に記載の発明は、
請求項１に記載の放送受信システムにおいて、
前記カレンダー作成手段は、一の日に録画された録画済み番組が１つである場合、前記録画済みアイコンとして第１録画済みアイコンを表示させるためのアイコン情報を付加するとともに、一の日に録画された録画済み番組が複数である場合、前記録画済みアイコンとして第２録画済みアイコンを表示させるためのアイコン情報を付加するアイコン情報付加手段を備えることを特徴とする。
【０００９】
また、請求項３に記載の発明は、
請求項１又は２に記載の放送受信システムにおいて、
前記カレンダー作成手段は、一の日を示す日付欄に付加された録画済みアイコンを表示させるためのアイコン情報に、録画済み番組数を表示させるための情報を含む番組数情報を付加する番組数情報付加手段を備えることを特徴とする。
【００１０】
また、請求項４に記載の発明は、
請求項１〜３の何れか一項に記載の放送受信システムにおいて、
ユーザが、前記表示手段に表示された録画番組カレンダー中の一の日付欄、或いは、前記表示手段に表示された録画番組カレンダー中の一の日付欄に表示された録画済みアイコンを選択するための選択手段と、
前記録画済み番組のリストを作成するリスト作成手段と、
前記リスト作成手段により作成されたリストを、前記表示手段に表示させるリスト表示制御手段と、
を備え、
前記リスト作成手段は、前記選択手段により一の日付欄が選択された場合、或いは、前記選択手段により一の日付欄に表示された録画済みアイコンが選択された場合、当該一の日付欄が示す日に録画された録画済み番組のリストを作成することを特徴とする。
【００１１】
また、請求項５に記載の発明は、
請求項１〜４の何れか一項に記載の放送受信システムにおいて、
前記カレンダー作成手段は、過去及び現在を示す日付欄と、未来を示す日付欄と、を識別するための日付欄識別情報を、各日付欄に付加する日付欄識別情報付加手段を備えることを特徴とする。
【００１２】
また、請求項６に記載の発明は、
請求項１〜５の何れか一項に記載の放送受信システムにおいて、
前記カレンダー作成手段は、一の日に録画された録画済み番組の中にコピー可能回数及び／又はムーブ可能回数に制限のある番組がある場合、当該一の日を示す日付欄に、所定の回数制限情報を付加する回数制限情報付加手段を備えることを特徴とする。
【発明の効果】
【００１３】
本発明によれば、テレビジョン放送波からテレビジョン放送信号を受信する受信手段を備える放送受信システムにおいて、受信手段により受信されたテレビジョン放送信号に基づく番組を番組記録手段に録画させる録画制御手段と、番組記録手段に記録されている録画済み番組の録画日を示す日付欄に、所定の録画済みアイコンを表示させるためのアイコン情報を付加することによって、当該日付欄に、当該録画済みアイコンが表示された録画番組カレンダーを作成するカレンダー作成手段と、カレンダー作成手段により作成された録画番組カレンダーを、表示手段に表示させるカレンダー表示制御手段と、を備えている。
したがって、本発明の放送受信システムにより表示される録画番組カレンダーにおいては、録画済み番組の録画日は録画済みアイコンによって識別できるため、番組記録手段に記録されている番組の録画日が一見で分かるとともに、録画済み番組名等が表示されたカレンダーよりも見易い。すなわち、本発明の放送受信システムは、使い勝手の良い録画済み番組の一覧を表示することができる。
【図面の簡単な説明】
【００１４】
【図１】本実施形態のＨＤＤ内蔵テレビの機能的構成の一例を示す図である。
【図２】録画番組カレンダー中の日付欄に表示されるアイコン及びマークの一例を示す図である。
【図３】録画番組カレンダー画面の一例であって、日付欄にフォーカスがある場合を示す図である。
【図４】録画番組カレンダー画面の一例であって、録画済みアイコンにフォーカスがある場合を示す図である。
【図５】録画済み番組リスト画面の一例を示す図である。
【図６】録画情報画面の一例を示す図である。
【図７】本実施形態のＨＤＤ内蔵テレビによる、録画番組カレンダーの表示に関する処理を説明するためのフローチャートである。
【図８】本実施形態のＨＤＤ内蔵テレビによる、録画済み番組のリストの表示に関する処理を説明するためのフローチャートである。
【図９】録画番組カレンダー画面の変形例であって、各種番組数を説明するためのポップアップ表示が表示された場合を示す図である。
【発明を実施するための形態】
【００１５】
以下、図を参照して、本発明を実施するための最良の形態を詳細に説明する。なお、発明の範囲は、図示例に限定されない。
本実施形態では、放送受信システムとしてＨＤＤ（Hard Disk Drive）内蔵テレビを例示して説明することとする。
【００１６】
本実施形態のＨＤＤ内蔵テレビ１は、例えば、内蔵されたＨＤＤ１４にユーザの録画予約等に従って番組を録画できるとともに、現在ＨＤＤ１４に記録されている番組（録画済み番組）を出力部１７から出力できるテレビジョン受信装置である。
具体的には、ＨＤＤ内蔵テレビ１は、例えば、図１に示すように、アンテナ１１ａに接続されたチューナ１１と、信号復調部１２と、録画制御部１３と、ＨＤＤ１４と、出力制御部１５と、ＯＳＤ回路１６と、出力部１７と、リモコン１８ａ及びリモコン受信部１８と、メモリ部１９と、制御部２０と、等を備えて構成される。
【００１７】
チューナ１１は、制御部２０から入力される制御信号に従って、受信手段として、テレビジョン放送波からテレビジョン放送信号（例えば、地上デジタル放送信号、ＢＳデジタル放送信号、ＣＳデジタル放送信号）を受信する。
具体的には、アンテナ１１ａは、例えば、地上デジタル放送と、ＢＳデジタル放送と、ＣＳデジタル放送と、を受信可能に構成されている。チューナ１１は、そのアンテナ１１ａにより受信されたテレビジョン放送波から、所望の番組のチャンネルに対応する特定周波数帯域に存在するテレビジョン放送信号を受信し、そして、当該受信したテレビジョン放送信号を変調して、中間周波信号を信号復調部１２に出力する。
【００１８】
信号復調部１２は、制御部２０から入力される制御信号に従って、チューナ１１から入力されたテレビジョン放送信号（中間周波信号）に対してデジタル復調や誤り訂正などの所定の処理を施して、トランスポートストリームを録画制御部１３又は出力制御部１５に出力する。
【００１９】
録画制御部１３は、制御部２０から入力される制御信号に従って、録画制御手段として、チューナ１１により受信されたテレビジョン放送信号に基づく番組を、ＨＤＤ１４に録画させる。
具体的には、録画制御部１３は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータにエンコード等の所定の処理を施して、ＨＤＤ１４に録画させる。
【００２０】
ＨＤＤ１４は、番組記録手段として、録画制御部１３により録画された番組を記憶する。
なお、番組は、例えば、当該番組の録画時刻や当該番組の番組情報とともにＨＤＤ１４に記録されるようになっている。
【００２１】
出力制御部１５は、制御部２０から入力される制御信号に従って、チューナ１１により受信されたテレビジョン放送信号に基づく番組を、出力部１７に出力させる。
具体的には、出力制御部１５は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータを、音声データ、映像データ、ＰＳＩ（Program Specific Information：番組特定情報）、ＳＩ（Service Information：番組配列情報）等の複数のストリームに分離する。そして、当該分離された音声データにデコード等の所定の処理を施して、出力部１７が有する音声出力部１７ａに出力し、当該分離された映像データにデコード等の所定の処理を施して、出力部１７が有する映像表示部１７ｂに出力する。
【００２２】
ここで、ＰＳＩは、例えば、ＰＭＴ（Program Map Table）、ＰＡＴ（Program Association Table）、ＮＩＴ（Network Information Table）、ＣＡＴ（Conditional Access Table）等のテーブルから構成されている。ＰＭＴ内には、著作権保護方式（例えば、ダビング１０方式、コピーワンス方式、コピーネバー方式、コピーフリー方式）を識別する記述子が記載されている。制御部２０は、このＰＳＩ（ＰＭＴ）によって、例えば、コピー可能回数及び／又はムーブ可能回数に制限のある番組であるか否か判定するようになっている。
また、ＳＩは、ＳＤＴ（Service Description Table）、ＥＩＴ（Event Information Table）、ＢＡＴ（Bouquet Association Table）、ＴＤＴ（Time Date Table）等の各種テーブル等が含まれている。ＥＩＴには、現在放送中の番組及び８日以内に放送予定の番組に関する番組情報（例えば、タイトル、チャンネル、放送局、ジャンル、放送時刻（放送開始時刻・放送終了時刻）、出演者、番組内容等）が記述されている。制御部２０は、このＳＩを、例えば、ＥＰＧデータとしてメモリ部１９のＥＰＧデータ記憶ファイル１９ａに記憶させるようになっている。
【００２３】
また、出力制御部１５は、制御部２０から入力される制御信号に従って、ＨＤＤ１４に記録されている録画済み番組を、出力部１７に出力させる。
【００２４】
ＯＳＤ回路１６は、制御部２０から入力される制御信号に従って、出力部１７の映像表示部１７ｂに所定のオンスクリーンディスプレイ（ＯＳＤ）表示をさせるためのＯＳＤ表示信号を、出力制御部１５から映像表示部１７ｂに出力される映像データに合成する。
【００２５】
出力部１７が有する音声出力部１７ａは、例えば、スピーカ機器であり、出力制御部１５から出力された音声データに基づく音声を出力する。
【００２６】
出力部１７が有する映像表示部１７ｂは、例えば、液晶表示機器であり、表示手段として、出力制御部１５から出力された映像データに基づく映像を表示したり、出力制御部１５から出力されてＯＳＤ回路１６によりＯＳＤ表示信号が合成された映像データに基づく映像を表示したりする。
【００２７】
リモコン受信部１８は、リモコン１８ａから送信された操作信号を受信して、制御部２０に出力する。
【００２８】
リモコン１８ａは、ＨＤＤ内蔵テレビ１を遠隔操作するリモートコントローラである。リモコン１８ａは、各種操作ボタンを備えており、ユーザにより操作ボタンが操作されると、所定の操作信号を送信するよう構成されている。
ここで、リモコン１８ａは、操作ボタンとして、「青色」、「赤色」、「緑色」、「黄色」の各カラーボタン、「↑」、「↓」、「←」、「→」の各カーソルボタン、「決定」ボタン、「戻る」ボタン、「番組表」ボタン等を備えている。
【００２９】
リモコン１８ａは、選択手段として、ユーザが、映像表示部１７ｂに表示された録画番組カレンダー中の一の日付欄、或いは、映像表示部１７ｂに表示された録画番組カレンダー中の一の日付欄に表示された録画済みアイコンを選択する際に操作される。
そして、日付欄と、録画済みアイコンと、のうちの何れかが選択されると、制御部２０は、例えば、録画済み番組のリストを作成して、映像表示部１７ｂに表示させるようになっている。
【００３０】
メモリ部１９は、例えば、図１に示すように、ＥＰＧデータ記憶ファイル１９ａと、予約番組情報記憶ファイル１９ｂと、を備えている。
【００３１】
ＥＰＧデータ記憶ファイル１９ａは、ＥＰＧデータを記憶する。
このＥＰＧデータ記憶ファイル１９ａに記憶されているＥＰＧデータは、制御部２０が、ＥＰＧ画面を映像表示部１７ｂにＯＳＤ表示させる際等に使用される。
【００３２】
予約番組情報記憶ファイル１９ｂは、ユーザによるリモコン１８ａ操作により指定された録画予約番組の番組情報（例えば、タイトル、チャンネル、放送局、ジャンル、放送時刻（放送開始時刻・放送終了時刻）、出演者、番組内容等）を記憶する。
より具体的には、ユーザは、リモコン１８ａを操作して、映像表示部１７ｂにＯＳＤ表示されたＥＰＧ画面において今から録画する番組や録画予約番組を指定したり、番組の放送時刻（放送開始時刻・放送終了時刻）等を入力することによって今から録画する番組や録画予約番組を指定したりする。また、ユーザは、リモコン１８ａを操作して、その指定した録画予約番組を、例えば、毎週予約するよう指定することもできる。
そして、録画予約番組が指定されると、制御部２０は、例えば、その指定された番組の番組情報（ＳＩ）を、メモリ部１９のＥＰＧデータ記憶ファイル１９ａから取得して、メモリ部１９の予約番組情報記憶ファイル１９ｂに記憶させるようになっている。
【００３３】
この予約番組情報記憶ファイル１９ｂに記憶されている番組情報には、例えば、録画成否識別情報が付与されており、この録画成否識別データによって、制御部２０は、録画が完了した番組の番組情報であるか、録画が失敗した番組の番組情報であるか、を識別できるようになっている。
【００３４】
この予約番組情報記憶ファイル１９ｂに記憶されている番組情報は、ユーザによるリモコン１８ａ操作によって、予約番組情報記憶ファイル１９ｂから消去されるようになっている。
【００３５】
また、この予約番組情報記憶ファイル１９ｂに記憶されている番組情報は、所定のタイミングで予約番組情報記憶ファイル１９ｂから自動消去されるようになっている。
具体的には、制御部２０は、例えば、月の初日（１日（ついたち））になると、３か月前よりも以前に放送された番組の番組情報を消去するようになっている。すなわち、制御部２０は、例えば、２００９年１月１日になると、２００８年１２月、１１月及び１０月に放送された番組の番組情報は残して、２００８年９月以前に放送された番組の番組情報を消去するようになっている。
なお、番組情報を消去するタイミングは、月の初日に限ることはなく任意である。また、消去する番組は、３か月前よりも以前に放送された番組の番組情報に限ることはなく、放送日が過去の番組情報であれば任意である。
【００３６】
制御部２０は、ＨＤＤ内蔵テレビ１を構成する各部を集中制御する。
具体的には、制御部２０は、例えば、図１に示すように、ＣＰＵ（Central Processing Unit）２０１と、ＲＡＭ（Random Access Memory）２０２と、計時部２０３と、記憶部２０４と、等を備えて構成される。
【００３７】
ＣＰＵ２０１は、例えば、記憶部２０４に記憶されたＨＤＤ内蔵テレビ１用の各種処理プログラムに従って各種の制御動作を行う。
【００３８】
ＲＡＭ２０２は、例えば、ＣＰＵ２０１によって実行される処理プログラムなどを展開するためのプログラム格納領域、入力データや上記処理プログラムが実行される際に生じる処理結果などを格納するデータ格納領域等を備える。
【００３９】
計時部２０３は、例えば、計時した現在日時データを、ＣＰＵ２０１に出力する。
【００４０】
記憶部２０４は、例えば、ＨＤＤ内蔵テレビ１で実行可能なシステムプログラム、当該システムプログラムで実行可能な各種処理プログラム、これら各種処理プログラムを実行する際に使用されるデータ、ＣＰＵ２０１によって演算処理された処理結果のデータ等を記憶する。なお、プログラムは、コンピュータが読み取り可能なプログラムコードの形で記憶部２０４に記憶されている。
【００４１】
具体的には、記憶部２０４は、例えば、図１に示すように、録画プログラム２０４ａと、視聴プログラム２０４ｂと、カレンダー作成プログラム２０４ｃと、カレンダー表示制御プログラム２０４ｄと、リスト作成プログラム２０４ｅと、リスト表示制御プログラム２０４ｆと、コピー・ムーブ処理プログラム２０４ｇと、等を記憶している。
【００４２】
録画プログラム２０４ａは、ユーザによるリモコン１８ａ操作により指定された今から録画する番組や録画予約番組をＨＤＤ１４に録画させる機能を、ＣＰＵ２０１に実現させる。
具体的には、ＣＰＵ２０１は、ユーザによるリモコン１８ａ操作に従って、チューナ１１、信号復調部１２、録画制御部１３等に制御信号を入力して、ユーザにより指定された今から録画する番組をＨＤＤ１４に録画させる。
また、ＣＰＵ２０１は、メモリ部１９の予約番組情報記憶ファイル１９ｂに記憶された録画予約番組の番組情報に基づいて、チューナ１１、信号復調部１２、録画制御部１３等に制御信号を入力して、ユーザにより指定された録画予約番組をＨＤＤ１４に録画させる。
【００４３】
視聴プログラム２０４ｂは、ＨＤＤ１４に記録されている録画済み番組を出力部１７から出力させる機能を、ＣＰＵ２０１に実現させる。
具体的には、ＣＰＵ２０１は、ユーザによるリモコン１８ａ操作に従って、チューナ１１、信号復調部１２、出力制御部１５等に制御信号を入力して、ＨＤＤ１４に記録されている録画済み番組のうちの、ユーザにより指定された番組を出力部１７から出力させる。
【００４４】
カレンダー作成プログラム２０４ｃは、ＨＤＤ１４に記録されている録画済み番組の録画日を示す日付欄に、所定の録画済みアイコンが表示された録画番組カレンダーを作成する機能を、ＣＰＵ２０１に実現させる。
【００４５】
具体的には、ＣＰＵ２０１は、月別のカレンダーを生成する。より具体的には、ＣＰＵ２０１は、例えば、図３に示すような、１行で一週間を示し、１列で同一曜日の異なる日を示すように日付欄が配置された、月別のカレンダーを生成する。
なお、月別のカレンダーは、予めメモリ部１９等に記憶されていても良い。この場合、ＣＰＵ２０１は、月別のカレンダーを生成するのではなく、メモリ部１９等から取得するようにしても良い。
【００４６】
次に、ＣＰＵ２０１は、生成された月別のカレンダー中の、ＨＤＤ１４に記録されている録画済み番組の録画日を示す日付欄に、所定の録画済みアイコンを表示させるためのアイコン情報を付加する。
より具体的には、ＣＰＵ２０１は、一の日に録画された録画済み番組が１つである場合、録画済みアイコンとして第１録画済みアイコン（例えば、図２に示す「単数録画済みアイコン」）を表示させるためのアイコン情報を付加するとともに、一の日に録画された録画済み番組が複数である場合、録画済みアイコンとして第２録画済みアイコン（例えば、図２に示す「複数録画済みアイコン」）を表示させるためのアイコン情報を付加する。
【００４７】
次に、ＣＰＵ２０１は、一の日に録画された録画済み番組が複数である場合、当該一の日を示す日付欄に付加された「複数録画済みアイコン」を表示させるためのアイコン情報に、番組数情報を付加する。
ここで、番組数情報は、例えば、録画済み番組数（ＨＤＤ１４中の録画番組数（Ｗ））を表示させるための情報を含む情報である。
ＨＤＤ１４中の録画番組数（Ｗ）は、当該一の日に録画された録画済み番組の総数を表し、例えば、図２に示すように、「複数録画済みアイコン」の左下に表示される。
【００４８】
次に、ＣＰＵ２０１は、一の日に録画された録画済み番組の中にコピー可能回数及び／又はムーブ可能回数に制限のある番組がある場合、当該一の日を示す日付欄に、所定の回数制限情報を付加する。
より具体的には、ＣＰＵ２０１は、例えば、ＨＤＤ１４に記録されている録画済み番組からＰＳＩ（ＰＭＴ）を抽出する。そして、一の日に録画された録画済み番組の中に、ダビング１０番組がある場合（すなわち、ダビング１０方式を識別する記述子が記載されたＰＭＴを含む番組がある場合）、当該一の日を示す日付欄に、所定のダビング１０マーク（例えば、図２に示す「ダビング１０マーク」）を表示させるための情報を含む回数制限情報を付加する。
ここで、ダビング１０番組とは、９回のコピー処理と１回のムーブ処理が許可された番組のことである。
【００４９】
次に、ＣＰＵ２０１は、過去及び現在を示す日付欄と、未来を示す日付欄と、を識別するための日付欄識別情報を、各日付欄に付加する。
より具体的には、過去及び現在を示す日付欄と、未来を示す日付欄と、は識別可能となるように、例えば、それぞれ異なる色で表示されるようになっている。すなわち、例えば、現在の日付が２００９年１月７日である場合、ＣＰＵ２０１は、過去及び現在を示す日付欄（２００９年１月７日以前を示す日付欄）が、例えば白色で表示され、未来を示す日付欄（２００９年１月８日以降を示す日付欄）が、例えば薄い灰色で表示されるように、各日付欄に日付欄識別情報を付加する。
ＣＰＵ２０１は、かかるカレンダー作成プログラム２０４ｃを実行することによって、カレンダー作成手段（アイコン情報付加手段、番組数情報付加手段、回数制限情報付加手段、日付欄識別情報付加手段）として機能する。
【００５０】
カレンダー表示制御プログラム２０４ｄは、カレンダー作成プログラム２０４ｃを実行したＣＰＵ２０１により作成された録画番組カレンダーを、映像表示部１７ｂに表示させる機能を、ＣＰＵ２０１に実現させる。
【００５１】
具体的には、ＣＰＵ２０１は、例えば、図３に示すように、録画番組カレンダーＣ１や番組情報表示欄Ｃ２などが表示された録画番組カレンダー画面を、ＯＳＤ回路１６を介して映像表示部１７ｂに表示させる。
ここで、ＣＰＵ２０１は、録画番組カレンダーＣ１中の一の日付欄と、録画番組カレンダーＣ１中の一の日付欄に表示された録画済みアイコンと、のうちの何れか１つを太枠Ｆで囲うことによって、フォーカスするようになっている。
なお、本実施形態では、フォーカスされた日付欄を太枠Ｆで囲うことによって、フォーカスされた日付欄を強調するようにしたが、フォーカスされた日付欄と、フォーカスされていない日付欄と、が識別可能であれば、フォーカスされた日付欄の強調の仕方は任意であり、フォーカスされた日付欄を、例えば、フォーカスされていない日付欄と異なる色（例えば黄色）で表示するようにしても良いし、太枠Ｆで囲うとともにフォーカスされていない日付欄と異なる色で表示するようにしても良い。フォーカスされた録画済みアイコンについても同様である。
【００５２】
フォーカスの初期位置は、例えば、現在を示す日付欄である。フォーカスは、例えば、リモコン１８ａに設けられた「↑」、「↓」、「←」、「→」の各カーソルボタンの操作によって移動する。
具体的には、例えば、「↑」ボタンが長押しされると、ＣＰＵ２０１は、フォーカスを１週間前に移動させる。すなわち、月の１週目以外の週に含まれる何れかの日付欄にフォーカスがある時は、先週の日付欄のうちの、フォーカスのある日付欄の日と同じ曜日の日付欄に移動させる。月の１週目に含まれる何れかの日付欄にフォーカスがある時は、先月の最終週の日付欄のうちの、フォーカスのある日付欄の日と同じ曜日の日付欄に移動させる。
また、例えば、「↓」ボタンが長押しされると、ＣＰＵ２０１は、フォーカスを１週間後に移動させる。すなわち、月の最終週以外の週に含まれる何れかの日付欄にフォーカスがある時は、来週の日付欄のうちの、フォーカスのある日付欄の日と同じ曜日の日付欄に移動させる。月の最終週に含まれる何れかの日付欄にフォーカスがある時は、来月の１週目の日付欄のうちの、フォーカスのある日付欄の日と同じ曜日の日付欄に移動させる。
また、例えば、「←」ボタンが長押しされると、ＣＰＵ２０１は、フォーカスを前日に移動させる。カレンダーの左端の日付欄（図３等においては曜日が日曜日の日付欄）にフォーカスがある時は、前日の日付欄（図３等においては曜日が土曜日の日付欄）に移動させる。月の初日を示す日付欄にフォーカスがある時は、先月の末日を示す日付欄に移動させる。
また、例えば、「→」ボタンが長押しされると、ＣＰＵ２０１は、フォーカスを翌日に移動させる。カレンダーの右端の日付欄（図３等においては曜日が土曜日の日付欄）にフォーカスがある時は、翌日の日付欄（図３等においては曜日が日曜日の日付欄）に移動させる。月の末日を示す日付欄にフォーカスがある時は、来月の初日を示す日付欄に移動させる。
【００５３】
そして、例えば、「←」ボタンが短押しされると、ＣＰＵ２０１は、フォーカスを、フォーカスされた日付欄に表示されている録画済みアイコンに移動させる。具体的には、例えば、図３に示す録画番組カレンダー画面が表示されている状態で、「←」ボタンが短押しされると、ＣＰＵ２０１は、例えば、図４に示すように、録画済みアイコンにフォーカスを移動させる。なお、フォーカスされた日付欄に録画済みアイコンが表示されていない場合は、移動先がないため、フォーカスを移動させないようになっている。
【００５４】
さらに、フォーカスは、例えば、リモコン１８ａに設けられた各カラーボタンの操作によって移動する。
具体的には、例えば、図３等に示す「青」ボタン操作指示表示Ｃ３に従って、「青」ボタンが短押しされると、ＣＰＵ２０１は、フォーカスを１か月前に移動させる。
また、例えば、図３等に示す「赤」ボタン操作指示表示Ｃ４に従って、「赤」ボタンが短押しされると、ＣＰＵ２０１は、フォーカスを１か月後に移動させる。
【００５５】
また、ＣＰＵ２０１は、フォーカスが一の日付欄にある場合、或いは、フォーカスが一の日付欄に表示された録画済みアイコンにある場合、当該一の日付欄の日が録画日の録画済み番組のうちの何れか１つの番組情報を、例えばＨＤＤ１４から取得して、番組情報表示欄Ｃ２に表示させるようになっている。
【００５６】
番組情報表示欄Ｃ２に表示される初期の番組情報は、例えば、録画開始時刻が最も早い番組の番組情報である。そして、録画済み番組が複数ある場合、番組情報表示欄Ｃ２に表示される番組情報は、例えば、リモコン１８ａに設けられた各カラーボタンの操作によって切り替わる。
具体的には、例えば、録画済み番組を録画開始時刻順に並べて、録画開始時刻が早い順に録画番号「１」、「２」、…を付与する。そして、番組情報表示欄Ｃ２に表示されている番組情報が、録画番号が「ｎ」の録画済み番組の番組情報である場合、例えば、図３等に示す「緑」ボタン操作指示表示Ｃ５に従って、「緑」ボタンが短押しされると、ＣＰＵ２０１は、番組情報表示欄Ｃ２に表示させる番組情報を、録画番号が「ｎ−１」の録画済み番組の番組情報に切り替え、例えば、図３等に示す「黄」ボタン操作指示表示Ｃ６に従って、「黄」ボタンが短押しされると、ＣＰＵ２０１は、番組情報表示欄Ｃ２に表示させる番組情報を、録画番号が「ｎ＋１」の録画済み番組の番組情報に切り替える。
【００５７】
さらに、ＣＰＵ２０１は、例えば、図３に示すように、録画数表示欄Ｃ７に「番組情報表示欄Ｃ２に番組情報が表示されている録画済み番組の録画番号／録画済み番組の総数」を表示させるようになっている。したがって、「緑」ボタンや「黄」ボタンが短押しされて、番組情報表示欄Ｃ２に表示される番組情報が切り替わったり、録画済み番組の消去、録画済み番組の追加等によって録画済み番組の総数が切り替わったりすると、録画数表示欄Ｃ７に表示される数値も切り替わるようになっている。
【００５８】
また、番組情報表示欄Ｃ２には、ダビング可能回数表示Ｄが表示されるようになっている。
ダビング可能回数表示Ｄには、ムーブ可能回数を示す数値（「＋１」）と、ムーブ可能回数を示す数値の左側にコピー可能回数を示す数値と、が表示されている。ダビング１０番組は、９回のコピー処理と１回のムーブ処理が許可された番組であるため、ダビング可能回数表示Ｄのコピー可能回数を示す数値「９」は、その番組がコピー処理される度に「８」、「７」、…と減っていくようになっている。
ＣＰＵ２０１は、かかるカレンダー表示制御プログラム２０４ｄを実行することによって、カレンダー表示制御手段として機能する。
【００５９】
リスト作成プログラム２０４ｅは、録画済み番組のリストを作成する機能を、ＣＰＵ２０１に実現させる。
【００６０】
具体的には、ＣＰＵ２０１は、ユーザによるリモコン１８ａ操作により一の日付欄が選択された場合（例えば、録画番組カレンダー画面において、フォーカスが一の日付欄にある状態で、リモコン１８ａに設けられた「決定」ボタンが短押しされた場合）、或いは、ユーザによるリモコン１８ａ操作により一の日付欄に表示された録画済みアイコンが選択された場合（例えば、録画番組カレンダー画面において、フォーカスが一の録画アイコンにある状態で、リモコン１８ａに設けられた「決定」ボタンが短押しされた場合）、当該一の日付欄が示す日に録画された録画済み番組の番組情報を、例えばＨＤＤ１４から取得して、録画番号順（例えば、録画開始時刻順）に並べて、録画済み番組のリストを作成する。
ＣＰＵ２０１は、かかるリスト作成プログラム２０４ｅを実行することによって、リスト作成手段として機能する。
【００６１】
リスト表示制御プログラム２０４ｆは、リスト作成プログラム２０４ｅを実行したＣＰＵ２０１により作成されたリストを、映像表示部１７ｂに表示させる機能を、ＣＰＵ２０１に実現させる。
【００６２】
具体的には、ＣＰＵ２０１は、録画済み番組のリストが作成されると、例えば、図５に示すように、当該作成された録画済み番組のリストを、ＯＳＤ回路１６を介して映像表示部１７ｂに表示させる。
【００６３】
ここで、録画済み番組のリストにおいて、ダビング１０番組の番組情報欄には、ダビング可能回数表示Ｄが表示されるようになっている。
具体的には、例えば、図５においては、番組名が「○○が来た！〜コンクリートジャングルのノラ猫に迫る！！〜」の録画済み番組と、番組名が「お祭りテレビ〜○○祭り」の録画済み番組と、がダビング１０番組である。そして、番組名が「○○が来た！〜コンクリートジャングルのノラ猫に迫る！！〜」の録画済み番組は、既に２回コピーされて、残りのコピー可能回数が「７」回であり、番組名が「お祭りテレビ〜○○祭り」の録画済み番組は、残りのコピー可能回数が「９」回であることが分かる。
【００６４】
また、ＣＰＵ２０１は、リスト中の一の番組情報欄を太枠Ｆで囲うことによって、フォーカスするようになっている。
なお、本実施形態では、フォーカスされた番組情報欄を太枠Ｆで囲うことによって、フォーカスされた番組情報欄を強調するようにしたが、フォーカスされた番組情報欄と、フォーカスされていない番組情報欄と、が識別可能であれば、フォーカスされた日付欄の強調の仕方は任意である。
【００６５】
フォーカスの初期位置は、例えば、録画開始時刻が最も早い録画済み番組の番組情報を示す番組情報欄である。フォーカスは、例えば、リモコン１８ａに設けられた「↑」、「↓」の各カーソルボタンの操作によって移動する。
【００６６】
そして、ＣＰＵ２０１は、ユーザによるリモコン１８ａ操作により一の番組情報欄が選択された場合（例えば、録画済み番組リスト画面において、フォーカスが一の番組情報欄にある状態で、リモコン１８ａに設けられた「決定」ボタンが短押しされた場合）、例えば、図６に示すように、当該一の番組情報欄に番組情報が示された録画済み番組（以下「録画済み番組Ａ」という）の録画情報が表示された録画情報画面を、映像表示部１７ｂにＯＳＤ表示させる。
録画情報画面には、例えば、録画済み番組Ａの番組内容が表示されている。また、録画情報画面では、例えば、リモコン１８ａに設けられた各カーソルボタンや「決定」ボタンの操作によってフォーカス（太枠Ｆ）を移動させることにより、「視聴」、「コピー」、「ムーブ」、又は「削除」を指定できるようになっている。
「視聴」を指定すると、例えば、録画済み番組Ａを視聴（再生）できるようになっている。すなわち、「視聴」が指定されると、ＣＰＵ２０１は、視聴プログラム２０４ｂを実行して、ＨＤＤ１４に記録されている録画済み番組のうちの、ユーザにより指定された番組（録画済み番組Ａ）を、出力部１７から出力させるようになっている。
また、「コピー」を指定すると、ＨＤＤ１４以外の記録媒体に、録画済み番組Ａをコピーできるようになっている。なお、録画済み番組Ａが、コピー可能回数に制限のある番組（例えば、ダビング１０方式、コピーワンス方式、コピーネバー方式等を識別する記述子が記載されたＰＭＴを含む番組）である場合、コピー処理を行った回数を録画済み番組ＡとともにＨＤＤ１４に記憶しておき、コピー処理を行った回数がコピー可能回数に達している場合は、録画情報画面において「コピー」は指定できないようになる。
また、「ムーブ」を指定すると、ＨＤＤ１４以外の記録媒体に、録画済み番組Ａをムーブできるようになっている。
また、「削除」を指定すると、録画済み番組ＡをＨＤＤ１４から消去するようになっている。
【００６７】
また、ＣＰＵ２０１は、例えば、録画済み番組リスト画面において、リモコン１８ａに設けられた「←」、「→」の各カーソルボタンが操作された場合、日付を切り替えるとともに、その切り替え先の日付の日に録画された録画済み番組のリストを表示させるようになっている。
ＣＰＵ２０１は、かかるリスト表示制御プログラム２０４ｆを実行することによって、リスト表示制御手段として機能する。
【００６８】
コピー・ムーブ処理プログラム２０４ｇは、ＨＤＤ１４に記録されている録画済み番組を、ＨＤＤ１４以外の記録媒体にコピー処理又はムーブ処理する機能を、ＣＰＵ２０１に実現させる。
【００６９】
具体的には、例えば、ＨＤＤ内蔵テレビ１が、ＤＶＤレコーダやＨＤＤレコーダなどの、ＨＤＤ１４以外の記録媒体に番組を録画できるレコーダ（図示省略）と接続されている場合、録画情報画面において「コピー」が指定される等して、ユーザによるリモコン１８ａ操作によりＨＤＤ１４に記録されている録画済み番組を当該記録媒体にコピーするよう指示されると、ＣＰＵ２０１は、当該録画済み番組を、当該レコーダに出力する。
また、例えば、録画情報画面において「ムーブ」が指定される等して、ユーザによるリモコン１８ａ操作によりＨＤＤ１４に記録されている録画済み番組を当該記録媒体にムーブするよう指示されると、ＣＰＵ２０１は、当該録画済み番組を、当該レコーダに出力するとともに、ＨＤＤ１４から消去する。
【００７０】
また、例えば、ＨＤＤ内蔵テレビ１が、ＤＶＤ等の、ＨＤＤ１４以外の記録媒体（図示省略）に番組を録画する機能を有している場合、録画情報画面において「コピー」が指定される等して、ユーザによるリモコン１８ａ操作によりＨＤＤ１４に記録されている録画済み番組を当該記録媒体にコピーするよう指示されると、ＣＰＵ２０１は、当該録画済み番組を、当該記録媒体に録画させる。
また、例えば、録画情報画面において「ムーブ」が指定される等して、ユーザによるリモコン１８ａ操作によりＨＤＤ１４に記録されている録画済み番組を当該記録媒体にムーブするよう指示されると、ＣＰＵ２０１は、当該録画済み番組を、当該記録媒体に録画させるとともに、ＨＤＤ１４から消去する。
【００７１】
＜録画番組カレンダー表示処理＞
次に、ＨＤＤ内蔵テレビ１による録画番組カレンダーの表示に関する処理について、図７を参照して説明する。
【００７２】
まず、ＣＰＵ２０１は、ユーザによるリモコン１８ａ操作によって、録画番組カレンダーを表示するよう指示されたか否かを判断する（ステップＳ１１）。
【００７３】
ステップＳ１１で、録画番組カレンダーを表示するよう指示されていないと判断すると（ステップＳ１１；Ｎｏ）、ＣＰＵ２０１は、ステップＳ１１の処理を繰り返して行う。
【００７４】
一方、ステップＳ１１で、録画番組カレンダーを表示するよう指示されたと判断すると（ステップＳ１１；Ｙｅｓ）、ＣＰＵ２０１は、カレンダー作成プログラム２０４ｃを実行して、録画番組カレンダーを作成する（ステップＳ１２）。
【００７５】
ここで、ＣＰＵ２０１は、例えば、ＨＤＤ１４に記録されている録画済み番組の録画日が識別可能な録画番組カレンダーを作成する。
具体的には、ＣＰＵ２０１は、まず、録画番組カレンダーの作成に必要な月別のカレンダーを生成する。
【００７６】
次に、ＣＰＵ２０１は、一の日に録画された録画済み番組がＨＤＤ１４に記憶されており、当該一の日に録画された録画済み番組が１つである場合、生成された月別のカレンダー中の当該一の日を示す日付欄に「単数録画済みアイコン」を表示させるためのアイコン情報を付加する。
また、当該一の日に録画された録画済み番組が複数である場合、生成された月別のカレンダー中の当該一の日を示す日付欄に「複数録画済みアイコン」を表示させるためのアイコン情報を付加するとともに、当該アイコン情報に、ＨＤＤ１４中の録画番組数（Ｗ）を表示させるための情報を含む番組数情報を付加する。
【００７７】
次に、ＣＰＵ２０１は、一の日に録画された録画済み番組の中にダビング１０番組がある場合、生成された月別のカレンダー中の当該一の日を示す日付欄に「ダビング１０マーク」を表示させるための回数制限情報を付加する。
【００７８】
次に、ＣＰＵ２０１は、過去及び現在を示す日付欄と、未来を示す日付欄と、を識別するための日付欄識別情報を、各日付欄に付加することによって、録画番組カレンダーを作成する。
【００７９】
次いで、ＣＰＵ２０１は、カレンダー表示制御プログラム２０４ｄを実行して、ステップＳ１２で作成された録画番組カレンダーを、映像表示部１７ｂに表示させる（ステップＳ１３）。
【００８０】
次いで、ＣＰＵ２０１は、番組の録画が終了して、ＨＤＤ１４に録画済み番組が追加されたか否か判断する（ステップＳ１４）。
【００８１】
ステップＳ１４で、ＨＤＤ１４に録画済み番組が追加されたと判断すると（ステップＳ１４；Ｙｅｓ）、ＣＰＵ２０１は、ステップＳ１２以降の処理を繰り返して行う。
【００８２】
具体的には、ＨＤＤ１４に録画済み番組が追加されて、一の日に録画された録画済み番組数（ＨＤＤ１４中の番組数）が「０」から「１」になった場合、「単数録画済みアイコン」を表示する必要がある。
また、ＨＤＤ１４に録画済み番組が追加されて、一の日に録画された録画済み番組数（ＨＤＤ１４中の番組数）が「１」から「２」になった場合、「単数録画済みアイコン」に代えて「複数録画済みアイコン」を表示し、かつ、番組数情報に基づく数値を表示する必要がある。
また、ＨＤＤ１４に録画済み番組が追加された場合、ＨＤＤ１４中の録画番組数（Ｗ）は増えるため、付加する番組数情報の内容を変更する必要がある。
また、ＨＤＤ１４に追加された録画済み番組が、ダビング１０番組である場合、「ダビング１０マーク」を表示する必要がある。
したがって、録画番組カレンダー画面の表示中に、番組の録画が終了してＨＤＤ１４に録画済み番組が追加されると、日付欄に付加する情報を変更する必要があるため、改めて録画番組カレンダーを作成することとする。
【００８３】
一方、ステップＳ１４で、ＨＤＤ１４に録画済み番組が追加されていないと判断すると（ステップＳ１４；Ｎｏ）、ＣＰＵ２０１は、ＨＤＤ１４から録画済み番組が消去されたか否か判断する（ステップＳ１５）。
【００８４】
ステップＳ１５で、ＨＤＤ１４から録画済み番組が消去されたと判断すると（ステップＳ１５；Ｙｅｓ）、ＣＰＵ２０１は、ステップＳ１２以降の処理を繰り返して行う。
【００８５】
ここで、例えば、録画情報画面において「ムーブ」が指定されると、ＣＰＵ２０１は、コピー・ムーブ処理プログラム２０４ｇを実行してムーブ処理を行い、ＨＤＤ１４から録画済み番組を消去して、再び録画番組カレンダーを表示させるようになっている。
また、例えば、録画情報画面において「削除」が指定されると、ＣＰＵ２０１は、ＨＤＤ１４から録画済み番組を消去して、再び録画番組カレンダーを表示させるようになっている。
【００８６】
具体的には、ＨＤＤ１４から録画済み番組が消去された場合、ＨＤＤ１４中の録画番組数（Ｗ）は減るため、付加する番組数情報の内容を変更する必要がある。
また、ＨＤＤ１４から録画済み番組が消去されて、一の日に録画された録画済み番組数（ＨＤＤ１４中の録画番組数（Ｗ））が「２」から「１」になった場合、「複数録画済みアイコン」に代えて「単数録画済みアイコン」を表示し、かつ、番組数情報に基づく数値を消去する必要がある。
また、ＨＤＤ１４から録画済み番組が消去されて、一の日に録画された録画済み番組数（ＨＤＤ１４中の録画番組数（Ｗ））が「１」から「０」になった場合、「単数録画済みアイコン」を消去する必要がある。
また、ＨＤＤ１４からダビング１０番組が消去されて、一の日に録画された録画済み番組の中にダビング１０番組がなくなった場合、「ダビング１０マーク」を消去する必要がある。
したがって、例えば、録画情報画面において「ムーブ」や「削除」が指定されて、ＨＤＤ１４から録画済み番組が消去されると、日付欄に付加する情報を変更する必要があるため、改めて録画番組カレンダーを作成することとする。
なお、録画番組カレンダー画面の表示中にも、リモコン１８ａを操作して、録画済み番組を「ムーブ」したり「削除」したりできるようになっている。この場合も、日付欄に付加する情報を変更する必要があるため、改めて録画番組カレンダーを作成することとする。
【００８７】
一方、ステップＳ１５で、ＨＤＤ１４から録画済み番組が消去されていないと判断すると（ステップＳ１５；Ｎｏ）、ＣＰＵ２０１は、ユーザによるリモコン１８ａ操作によって、録画番組カレンダーの表示を中止するよう指示されたか否か判断する（ステップＳ１６）。
【００８８】
ステップＳ１６で、録画番組カレンダーの表示を中止するよう指示されていないと判断すると（ステップＳ１６；Ｎｏ）、ＣＰＵ２０１は、ステップＳ１４以降の処理を繰り返して行う。
【００８９】
一方、ステップＳ１６で、録画番組カレンダーの表示を中止するよう指示されたと判断すると（ステップＳ１６；Ｙｅｓ）、ＣＰＵ２０１は、録画番組カレンダー画面の表示を中止して（ステップＳ１７）、本処理を終了する。
【００９０】
＜リスト表示処理＞
次に、ＨＤＤ内蔵テレビ１による、録画済み番組のリストの表示に関する処理について、図８を参照して説明する。
【００９１】
まず、ＣＰＵ２０１は、録画番組カレンダー画面において、ユーザによるリモコン１８ａ操作によって一の日付欄が選択されたか否か判断する（ステップＳ２１）。
【００９２】
ステップＳ２１で、一の日付欄が選択されたと判断すると（ステップＳ２１；Ｙｅｓ）、ＣＰＵ２０１は、ステップＳ２３以降の処理に移行する。
【００９３】
一方、ステップＳ２１で、一の日付欄が選択されていないと判断すると（ステップＳ２１；Ｎｏ）、ＣＰＵ２０１は、録画番組カレンダー画面において、ユーザによるリモコン１８ａ操作によって一の日付欄に表示された一の録画済みアイコンが選択されたか否か判断する（ステップＳ２２）。
【００９４】
ステップＳ２２で、一の日付欄に表示された一の録画済みアイコンが選択されていないと判断すると（ステップＳ２２；Ｎｏ）、ＣＰＵ２０１は、ステップＳ２１以降の処理を繰り返して行う。
【００９５】
一方、ステップＳ２２で、一の日付欄に表示された一の録画済みアイコンが選択されたと判断すると（ステップＳ２２；Ｙｅｓ）、ＣＰＵ２０１は、リスト作成プログラム２０４ｅを実行して、当該一の日付欄が示す日に放送される録画済み番組のリストを作成し（ステップＳ２３）、リスト表示制御プログラム２０４ｆを実行して、録画済み番組リスト画面を映像表示部１７ｂに表示させて（ステップＳ２４）、本処理を終了する。
【００９６】
以上説明した本実施形態のＨＤＤ内蔵テレビ１によれば、チューナ１１により受信されたテレビジョン放送信号に基づく番組をＨＤＤ１４に録画させる録画制御部１３と、ＨＤＤ１４に記録されている録画済み番組の録画日を示す日付欄に、所定の録画済みアイコンを表示させるためのアイコン情報を付加することによって、当該日付欄に、当該録画済みアイコンが表示された録画番組カレンダーを作成するカレンダー作成プログラム２０４ｃを実行したＣＰＵ２０１と、当該作成された録画番組カレンダーを、映像表示部１７ｂに表示させるカレンダー表示制御プログラム２０４ｄを実行したＣＰＵ２０１と、を備えている。
したがって、ＨＤＤ内蔵テレビ１により表示される録画番組カレンダーにおいては、録画済み番組の録画日は録画済みアイコンによって識別できるため、ＨＤＤ１４に記録されている番組の録画日が一見で分かるとともに、録画済み番組名等が表示されたカレンダーよりも見易い。すなわち、ＨＤＤ内蔵テレビ１は、使い勝手の良い録画済み番組の一覧を表示することができる。
【００９７】
また、以上説明した本実施形態のＨＤＤ内蔵テレビ１によれば、カレンダー作成プログラム２０４ｃを実行したＣＰＵ２０１は、一の日に録画された録画済み番組が１つである場合、録画済みアイコンとして「単数録画済みアイコン」を表示させるためのアイコン情報を付加するとともに、一の日に録画された録画済み番組が複数である場合、録画済みアイコンとして「複数録画済みアイコン」を表示させるためのアイコン情報を付加するようになっている。
したがって、ＨＤＤ内蔵テレビ１により表示される録画番組カレンダーにおいては、録画済みアイコンの種類によって、一の日に録画された録画済み番組の個数が単数であるか複数であるかを識別できるため、録画済み番組の個数が一見で分かるとともに、録画済み番組名等が表示されたカレンダーよりも見易い。
【００９８】
また、以上説明した本実施形態のＨＤＤ内蔵テレビ１によれば、カレンダー作成プログラム２０４ｃを実行したＣＰＵ２０１は、一の日を示す日付欄に付加された「複数録画済みアイコン」を表示させるためのアイコン情報に、録画済み番組数（ＨＤＤ１４中の録画番組数（Ｗ））を表示させるための情報を含む番組数情報を付加するようになっている。
したがって、ＨＤＤ内蔵テレビ１により表示される録画番組カレンダーにおいては、「複数録画済みアイコン」とともに表示される数値によって、ＨＤＤ１４中の録画番組数（Ｗ）を認識できるため、一の日に録画された録画済み番組の数が一見で分かるとともに、録画済み番組名等が表示されたカレンダーよりも見易い。
【００９９】
また、以上説明した本実施形態のＨＤＤ内蔵テレビ１によれば、録画済み番組のリストを作成するリスト作成プログラム２０４ｅを実行したＣＰＵ２０１と、当該作成されたリストを、映像表示部１７ｂに表示させるリスト表示制御プログラム２０４ｆを実行したＣＰＵ２０１と、を備え、リスト作成プログラム２０４ｅを実行したＣＰＵ２０１は、ユーザによるリモコン１８ａ操作により一の日付欄が選択された場合、或いは、ユーザによるリモコン１８ａ操作により一の日付欄に表示された録画済みアイコンが選択された場合、当該一の日付欄が示す日に録画された録画済み番組のリストを作成するようになっている。
したがって、録画番組カレンダーだけでなく、録画済み番組のリストも表示できるため、使い勝手が良い。
【０１００】
また、以上説明した本実施形態のＨＤＤ内蔵テレビ１によれば、カレンダー作成プログラム２０４ｃを実行したＣＰＵ２０１は、過去及び現在を示す日付欄と、未来を示す日付欄と、を識別するための日付欄識別情報を、各日付欄に付加するようになっている。
したがって、ＨＤＤ内蔵テレビ１により表示される録画番組カレンダーにおいては、過去及び現在を示す日付欄と、未来を示す日付欄と、を一見で識別できるため、使い勝手が良い。
【０１０１】
また、以上説明した本実施形態のＨＤＤ内蔵テレビ１によれば、カレンダー作成プログラム２０４ｃを実行したＣＰＵ２０１は、一の日に録画された録画済み番組の中にダビング１０番組がある場合、当該一の日を示す日付欄に、「ダビング１０マーク」を表示させるための回数制限情報を付加するようになっている。
したがって、ＨＤＤ内蔵テレビ１により表示される録画番組カレンダーにおいては、一の日に放送される録画済み番組の中に、ダビング１０番組があるか否かを一見で識別できるため、使い勝手が良い。
【０１０２】
なお、本発明は、上記した実施の形態のものに限るものではなく、その要旨を逸脱しない範囲で適宜変更可能である。
【０１０３】
＜変形例１＞
番組数情報は、録画済み番組数（ＨＤＤ１４中の録画番組数（Ｗ））を表示させるための情報を含む情報に限ることはなく、その他の情報（例えば、残りの録画予約番組数（Ｘ）、録画完了番組数（Ｙ）、録画失敗番組数（Ｚ））を表示させるための情報を含んでいても良い。
残りの録画予約番組数（Ｘ）は、一の日に放送される録画予約番組のうちの放送が未だに終了していない番組の総数を表し、例えば、図９に示すように、録画済みアイコンの右下に表示される。残りの録画予約番組がない場合、残りの録画予約番組数（Ｘ）を表示しないようにしても良いし、残りの録画予約番組数（Ｘ）として、例えば「０」を表示するようにしても良い。
録画完了番組数（Ｙ）は、一の日に放送された録画予約番組のうちの録画が完了した番組の総数を表し、例えば、図９に示すように、録画済みアイコンの右上に表示される。録画完了番組がない場合、録画完了番組数（Ｙ）を表示しないようにしても良いし、録画完了番組数（Ｙ）として、例えば「０」を表示するようにしても良い。
録画失敗番組数（Ｚ）は、一の日に放送された録画予約番組のうちの録画が失敗した番組の総数を表し、例えば、図９に示すように、録画済みアイコンの右上の録画完了番組数（Ｙ）よりも右側に表示される。なお、録画失敗番組がない場合、録画失敗番組数（Ｚ）を表示しないようにしても良いし、録画失敗番組数（Ｚ）として、例えば「０」を表示するようにしても良い。
【０１０４】
この場合、一の日について、ＨＤＤ１４中の録画番組数（Ｗ）が「０」であっても、当該一の日が放送日の録画予約番組が予約番組情報記憶ファイル１９ｂに記憶されている場合は、録画済みアイコンを表示させるのが好ましい。
また、この場合、ＨＤＤ１４中の録画番組数（Ｗ）と、残りの録画予約番組数（Ｘ）と、録画完了番組数（Ｙ）と、録画失敗番組数（Ｚ）と、が識別可能となるように、例えば、それぞれ異なる色で表示させるのが好ましい。
【０１０５】
また、この場合、ＣＰＵ２０１は、ユーザによるリモコン１８ａ操作により録画済みアイコンが表示された一の日付欄が選択された場合（一の日付欄に表示された録画済みアイコンが選択された場合であっても良い）、例えば、図９に示すように、当該録画済みアイコンを表示させるためのアイコン情報に付加された番組数情報に基づく数値を説明するためのポップアップ表示Ｐを、録画番組カレンダー画面に重畳させて表示させるようにしても良い。
ここで、一の日付欄が選択された場合とは、例えば、録画番組カレンダー画面において、一の日付欄にフォーカスがある状態で、リモコン１８ａに設けられた「決定」ボタンが長押しされた場合である。
また、一の日付欄に表示された録画済みアイコンが選択された場合とは、例えば、録画番組カレンダー画面において、一の録画済みアイコンにフォーカスがある状態で、リモコン１８ａに設けられた「決定」ボタンが長押しされた場合である。
そして、ＣＰＵ２０１は、例えば、再度「決定」ボタンが長押しされた場合、或いは、ユーザによりリモコン１８ａ操作によってフォーカスが移動された場合に、当該ポップアップ表示Ｐを消去することとする。
なお、図９においては、現在を示す日付欄に表示された録画済みアイコンのみ、ＨＤＤ１４中の録画番組数（Ｗ）に加えて、残りの録画予約番組数（Ｘ）、録画完了番組数（Ｙ）、録画失敗番組数（Ｚ）とともに表示するようにしたが、これに限ることはなく、過去を示す日付欄に表示された録画済みアイコンも、ＨＤＤ１４中の録画番組数（Ｗ）に加えて、残りの録画予約番組数（Ｘ）、録画完了番組数（Ｙ）、録画失敗番組数（Ｚ）とともに表示するようにしても良い。
【０１０６】
なお、フォーカス（太枠Ｆ）を移動させる際やリストを表示させる際などのリモコン１８ａの操作の仕方は、上記実施形態のものに限ることはなく、任意である。
【０１０７】
また、過去及び現在を示す日付欄と、未来を示す日付欄と、の識別の仕方は、上記実施形態のものに限ることはなく、任意である。
【０１０８】
また、番組数情報に基づく数値は表示しなくても良い。この場合、アイコン情報に番組数情報を付加しなくても良い。
また、一の日に録画された録画済み番組が複数である場合のみ、番組数情報に基づく数値を表示するようにしたが、一の日に録画された録画済み番組が１つである場合も、アイコン情報に番組数情報を付加して、当該番組数情報に基づく数値を表示するようにしても良い。
【０１０９】
また、一の日に録画された録画済み番組が１つである場合、当該一の日を示す日付欄に「単数録画済みアイコン」を表示させ、一の日に録画された録画済み番組が複数である場合、当該一の日を示す日付欄に「複数録画済みアイコン」を表示させるようにしたが、一の日に録画された録画済み番組が１つである場合も、複数である場合も、図柄等が同一の録画済みアイコンを表示しても良い。
また、録画番組カレンダーに表示されるアイコンやマークの図柄等は、図示したものに限るものではない。
【０１１０】
また、上記実施形態においては、録画番組カレンダー画面中の番組情報表示欄Ｃ２にダビング１０番組の番組情報が表示される場合や、リスト中の番組情報欄にダビング１０番組の番組情報が表示される場合に、当該番組情報内にダビング可能回数表示Ｄを表示して、残りのコピー可能回数を認識できるようにしたが、例えば、録画番組カレンダー中の「ダビング１０マーク」から残りのコピー可能回数を認識できるようにしても良い。
具体的には、例えば、一の日が録画日の録画済み番組の中にダビング１０番組がある場合、当該一の日を示す日付欄に表示される「ダビング１０マーク」中の数値「９」を、当該ダビング１０番組がコピーされる度に、「８」、「７」、…と減っていくようにしても良い。
ここで、一の日が録画日の録画済み番組が複数あり、その中にダビング１０番組がある場合は、当該一の日を示す日付欄に「ダビング１０マーク」を表示させると、当該一の日が録画日の録画済み番組の全てがダビング１０番組であると勘違いしかねない。また、一の日が録画日の録画済み番組の中にダビング１０番組が複数ある場合、ダビング１０番組毎にコピー可能回数が異なることがあるため、各ダビング１０番組について「ダビング１０マーク」から残りのコピー可能回数を認識できるようにするのは困難である。したがって、録画番組カレンダーには「ダビング１０マーク」は表示しないようにしても良い。この場合、録画番組カレンダー画面中の番組情報表示欄Ｃ２にダビング１０番組の番組情報が表示される場合や、リスト中の番組情報欄にダビング１０番組の番組情報が表示される場合はダビング可能回数表示Ｄを表示して、ダビング１０番組を識別できるようにし、かつ、残りのコピー可能回数を認識できるようにするのが好ましい。また、例えば、一の日が録画日の録画済み番組が１つであり、その番組がダビング１０番組である場合のみ、当該一の日を示す日付欄に「ダビング１０」マークを表示したり、その「ダビング１０マーク」から残りのコピー可能回数を認識できるようにしたりしても良い。
【０１１１】
また、コピー可能回数及び／又はムーブ可能回数に制限のある番組は、ダビング１０番組に限ることはなく、例えば、コピーワンス番組（一世代のみのムーブ処理が許可された番組）や、コピーネバー番組（コピー処理やムーブ処理が全面的に禁止された番組）であっても良い。また、コピー可能回数及び／又はムーブ可能回数に制限のある番組は、ダビング１０番組、コピーワンス番組及びコピーネバー番組のうちの何れか１種類に限ることはなく、複数種類であっても良い。この場合、ダビング１０番組がある場合に表示させるマークと、コピーワンス番組がある場合に表示させるマークと、コピーネバー番組がある場合に表示させるマークと、は図柄等が同一であっても良いし、異なっていても良い。
【０１１２】
また、残りのコピー可能回数が識別可能な録画済みアイコンを表示させるようにしても良い。すなわち、例えば、残りのコピー可能回数がｎ回の番組用の録画済みアイコン等を表示させるようにしても良い。この場合、例えば、ユーザによるリモコン１８ａ操作により、一の日付欄が選択されると、当該一の日付欄が示す日に録画された録画済み番組（残りのコピー可能回数は問わない）の番組情報を並べた録画済み番組のリストを作成して表示し、ユーザによるリモコン１８ａ操作により、一の日付欄に表示された残りのコピー可能回数がｎ回の番組用の録画済みアイコンが選択されると、当該一の日付欄が示す日に録画された録画済み番組のうちの残りのコピー可能回数がｎ回の番組の番組情報を並べた録画済み番組のリストを作成して表示するようにしても良い。
また、例えば、残りのコピー可能回数がｎ回以上の番組用の録画済みアイコン、残りのコピー可能回数がｎ回未満の番組用の録画済みアイコン等を表示させるようにしても良い。この場合、例えば、ユーザによるリモコン１８ａ操作により、一の日付欄が選択されると、当該一の日付欄が示す日に録画された録画済み番組（残りのコピー可能回数は問わない）の番組情報を並べた録画済み番組のリストを作成して表示し、ユーザによるリモコン１８ａ操作により、一の日付欄に表示された残りのコピー可能回数がｎ回以上の番組用の録画済みアイコンが選択されると、当該一の日付欄が示す日に録画された録画済み番組のうちの残りのコピー可能回数がｎ回以上の番組の番組情報を並べた録画済み番組のリストを作成して表示し、ユーザによるリモコン１８ａ操作により、一の日付欄に表示された残りのコピー可能回数がｎ回未満の番組用の録画済みアイコンが選択されると、当該一の日付欄が示す日に録画された録画済み番組のうちの残りのコピー可能回数がｎ回未満の番組の番組情報を並べた録画済み番組のリストを作成して表示するようにしても良い。
【０１１３】
また、コピー可能回数及び／又はムーブ可能回数に制限のある番組の種類（著作権保護方式の種類）が識別可能な録画済みアイコンを表示させるようにしても良い。すなわち、例えば、ダビング１０番組用の録画済みアイコン、コピーワンス番組用の録画済みアイコン、コピーネバー番組用の録画済みアイコン、コピーフリー番組用の録画済みアイコン等を表示させるようにしても良い。この場合、例えば、ユーザによるリモコン１８ａ操作により、一の日付欄が選択されると、当該一の日付欄が示す日に録画された録画済み番組（著作権保護方式の種類は問わない）の番組情報を並べた録画済み番組のリストを作成して表示し、ユーザによるリモコン１８ａ操作により、一の日付欄に表示されたダビング１０番組用の録画済みアイコンが選択されると、当該一の日付欄が示す日に録画された録画済み番組のうちのダビング１０番組の番組情報を並べた録画済み番組のリストを作成して表示し、ユーザによるリモコン１８ａ操作により、一の日付欄に表示されたコピーワンス番組用の録画済みアイコンが選択されると、当該一の日付欄が示す日に録画された録画済み番組のうちのコピーワンス番組の番組情報を並べた録画済み番組のリストを作成して表示し、一の日付欄に表示されたコピーネバー番組用の録画済みアイコンが選択されると、当該一の日付欄が示す日に録画された録画済み番組のうちのコピーネバー番組の番組情報を並べた録画済み番組のリストを作成して表示し、一の日付欄に表示されたコピーフリー番組用の録画済みアイコンが選択されると、当該一の日付欄が示す日に録画された録画済み番組のうちのコピーフリー番組の番組情報を並べた録画済み番組のリストを作成して表示するようにしても良い。
【０１１４】
また、上記実施形態において、ＨＤＤ１４に記録されている録画済み番組の録画日が識別可能な録画番組カレンダーを作成するようにした。具体的には、例えば、２００８年８月、２００８年９月、２００８年１０月、２００８年１２月及び２００９年１月に録画された番組がＨＤＤ１４に記録されている場合、２００８年８月分、２００８年９月分、２００８年１０月分、２００８年１２月分及び２００９年１月分の録画番組カレンダーを作成するようにしたが、これに限るものではなく、例えば、２００８年１１月分の録画番組カレンダー（録画済みアイコン等が表示されていないカレンダー）も作成しても良い。
また、所定の期間内に録画された録画済み番組の録画日が識別可能な録画番組カレンダーを作成して、その他の期間内に録画された録画済み番組についてはリストを作成するようにしても良い。具体的には、例えば、現在の日付が２００９年１月７日であり、２００８年８月、２００８年９月、２００８年１０月、２００８年１２月及び２００９年１月に録画された番組がＨＤＤ１４に記録されている場合、３か月前まで（２００８年１０月分、２００８年１２月分及び２００９年１月分）の録画番組カレンダーを作成して、２００８年８月及び２００８年９月に録画された番組については録画済み番組のリストを作成するようにしても良い。なお、２００９年１月７日の３か月前には、２００８年１１月も含まれるが、２００８年１１月分のカレンダーは作成しても作成しなくても良い。この場合、例えば、３か月前の録画番組カレンダー（２００８年１０月分の録画番組カレンダー）が表示されている状態で、「青」ボタンが短押しされると、ＣＰＵ２０１は、２００８年８月及び２００８年９月に録画された録画済み番組のリストを表示させるようにすると良い。
【０１１５】
録画開始時刻が早い順に録画番号「１」、「２」、…を付与するようにしたが、これに限ることはなく、所定の順に録画番号を付与することができるのであれば、例えば、ユーザからの指示の順（録画予約指示、録画指示、視聴予約指示）に録画番号を付与しても良い。
【０１１６】
また、録画番組カレンダー中の日付欄を、１行で一週間を示し、１列で同一曜日の異なる日を示すように配置したが、日付欄の配置の仕方は任意である。
また、録画番組カレンダーの作成の際に生成されるカレンダーは、月別のカレンダーに限ることはなく、例えば、週別のカレンダーであっても良い。本実施形態では、月別のカレンダーを生成して、１か月分の録画番組カレンダーを一画面に表示するようにしたが、例えば、２か月（２か月以上であっても良い）分の録画番組カレンダーを一画面に表示するようにしても良い。また、週別のカレンダーを生成した場合は、例えば、１週間分の録画番組カレンダーを一画面に表示するようにしても良いし、２週間（２週間以上であっても良い）分の録画番組カレンダーを一画面に表示するようにしても良い。
【０１１７】
また、放送受信システムは、テレビジョン放送波からテレビジョン放送信号を受信する受信手段を備え、番組を録画する機能を有するものであれば、ＨＤＤ内蔵テレビ１に限ることはなく任意である。
また、上記実施形態では、映像表示部１７ｂ（表示手段）をＨＤＤ内蔵テレビ１（放送受信システム）内に備えるようにしたが、表示手段は、放送受信システム外に備えられていても良い。
また、上記実施形態では、放送受信システムを、テレビジョン放送信号を受信する機能と、番組を録画する機能と、を有する１つの装置（すなわち、ＨＤＤ内蔵テレビ１）で構成したが、これに限るものではなく、放送受信システムは、テレビジョン放送信号を受信する受信する機能を有する装置と、番組を録画する機能を有する装置と、の複数の装置で構成されるものであっても良い。この場合、何れかの装置でカレンダーやリストを作成したり表示手段に表示させたりすれば良い。
すなわち、具体的には、放送受信システムは、ＳＴＢ（Set Top Box）、レコーダ等の録画装置、録画機能を有さないテレビ等の何れか１つであっても良いし、何れか複数を組み合わせたものであっても良い。
【符号の説明】
【０１１８】
１  ＨＤＤ内蔵テレビ（放送受信システム）
１１  チューナ（受信手段）
１３  録画制御部（録画制御手段）
１４  ＨＤＤ（番組記録手段）
１７ｂ  映像表示部（表示手段）
１８ａ  リモコン（選択手段）
２０１  ＣＰＵ（カレンダー作成手段（アイコン情報付加手段、番組数情報付加手段、回数制限情報付加手段、日付欄識別情報付加手段）、カレンダー表示制御手段）
２０４ｃ  カレンダー作成プログラム（カレンダー作成手段（アイコン情報付加手段、番組数情報付加手段、回数制限情報付加手段、日付欄識別情報付加手段）
２０４ｄ  カレンダー表示制御プログラム（カレンダー表示制御手段）
２０４ｅ  リスト作成プログラム（リスト作成手段）
【図１】
2010212844.tif 000003
【図２】
2010212844.tif 000004
【図３】
2010212844.tif 000005
【図４】
2010212844.tif 000006
【図５】
2010212844.tif 000007
【図６】
2010212844.tif 000008
【図７】
2010212844.tif 000009
【図８】
2010212844.tif 000010
【図９】
2010212844.tif 000011